(57)【要約】【課題】  タクシーの配車要求を、タクシー乗務員に負担なく認識させるタクシー配車システムを提供する。【解決手段】  タクシー利用者が保持する利用者端末から配車要求が送信され、管理サーバは配車要求を受信すると、配車要求に含まれる利用者端末の位置情報に基づき、タクシー端末の位置情報との位置関係を判別し、所定範囲内に位置するタクシー端末に対して配車要求を送信し、タクシー端末の出力部に出力し、タクシー端末からの入札情報を受信すると、配車情報を生成し、利用者端末とタクシー端末へ送信する。【選択図】  図１
2012083933.tif 000002
【特許請求の範囲】
【請求項１】
利用者端末と、地図情報を表示する出力部を備えたタクシー端末と、タクシーの配車情報を管理し情報処理を制御するサーバから構成され、ＧＰＳ衛星から位置情報を取得しタクシー配車の情報制御をするタクシー配車システムであって、
上記サーバは、
タクシー端末を識別できる識別情報、タクシーの位置情報、を含むタクシー情報を記憶するタクシー情報記憶手段と、
上記ＧＰＳ衛星から上記タクシー端末の位置情報を受信する位置情報受信手段と、
上記利用者端末から当該利用者端末の位置情報を含む配車要求情報を受信する配車要求受信手段と、
上記受信したタクシー端末に係る位置情報と、上記受信した配車要求情報に含まれる利用者端末に係る位置情報に基づき、当該利用者端末に係る位置情報を基準にする範囲を算出し、上記タクシーに係る位置情報が当該範囲内に該当するか否かを判別する範囲内外判別手段と、
上記範囲内外判別の結果、範囲内に該当する位置情報に係るタクシー端末がある場合、当該タクシー端末に対して、上記配車要求情報を送信する配車要求案内手段と、
上記タクシー端末から、上記配車要求情報に対する入札情報を受信する入札受信手段と、
上記入札情報を受信した場合、上記タクシー情報記憶手段を参照し、当該入札情報に係るタクシー端末情報を特定し、上記配車要求情報に係る利用者端末情報と関連づけた配車情報を生成する落札処理手段と、
上記タクシー端末は、
上記サーバから配車要求情報を受信すると、配車要求情報を出力部上に表示する配車情報表示手段と、
を有することを特徴とするタクシー配車システム。
【請求項２】
上記配車情報表示手段は、上記サーバから配車要求情報を受信すると、当該配車要求情報に係る位置情報を出力部上の地図情報に表示する、
ことを特徴とする上記請求項１に記載のタクシー配車システム。
【請求項３】
上記サーバは、
上記配車情報を生成すると、当該入札情報に係るタクシー端末に対して、配車情報を送信する配車依頼手段、をさらに有すること、
を特徴とする上記請求項１又は２に記載のタクシー配車システム。
【請求項４】
上記サーバは、
上記配車情報を生成すると、当該配車要求情報に係る利用者端末に対して、配車情報を送信する配車情報送信手段、をさらに有すること、
を特徴とする上記請求項１乃至３のいずれかの項に記載のタクシー配車システム。
【請求項５】
上記サーバは、
上記入札情報を受信した場合に、当該配車要求情報の削除指示情報を生成し、当該入札情報に係るタクシー端末以外の上記配車要求情報を送信したタクシー端末に対して送信する削除要求手段、をさらに有すること、
を特徴とする上記請求項１乃至４のいずれかの項に記載のタクシー配車システム。
【請求項６】
利用者端末と、地図情報を表示する出力部を備えたタクシー端末と、タクシー端末を識別できる識別情報、タクシーの位置情報、を含むタクシー情報を記憶するタクシー情報記憶手段を有しタクシーの配車情報を管理し情報処理を制御するサーバから構成され、ＧＰＳ衛星から位置情報を取得しタクシー配車の情報制御をするタクシー配車処理方法であって、
上記サーバが、
上記ＧＰＳ衛星から上記タクシー端末の位置情報を受信する処理と、
上記利用者端末から当該利用者端末の位置情報を含む配車要求情報を受信する処理と、
上記受信したタクシー端末に係る位置情報と、上記受信した配車要求情報に含まれる利用者端末に係る位置情報に基づき、当該利用者端末に係る位置情報を基準にする範囲を算出し、上記タクシーに係る位置情報が当該範囲内に該当するか否かを判別する処理と、
上記範囲内外判別の結果、範囲内に該当する位置情報に係るタクシー端末がある場合、当該タクシー端末に対して、上記配車要求情報を送信する処理と、
上記タクシー端末から、上記配車要求情報に対する入札情報を受信する処理と、
上記入札情報を受信した場合、上記タクシー情報記憶手段を参照し、当該入札情報に係るタクシー端末情報を特定し、上記配車要求情報に係る利用者端末情報と関連づけた配車情報を生成する処理と、
上記タクシー端末が、
上記サーバから配車要求情報を受信すると、配車要求情報を出力部上に表示する処理と、
を行うことを特徴とするタクシー配車処理方法。
【請求項７】
利用者端末と、地図情報を表示する出力部を備えたタクシー端末と、タクシー端末を識別できる識別情報、タクシーの位置情報、を含むタクシー情報を記憶するタクシー情報記憶手段を有しタクシーの配車情報を管理し情報処理を制御するサーバから構成され、ＧＰＳ衛星から位置情報を取得しタクシー配車の情報制御をするコンピュータプログラムであって、
上記サーバに対して、
上記ＧＰＳ衛星から上記タクシー端末の位置情報を受信する処理と、
上記利用者端末から当該利用者端末の位置情報を含む配車要求情報を受信する処理と、
上記受信したタクシー端末に係る位置情報と、上記受信した配車要求情報に含まれる利用者端末に係る位置情報に基づき、当該利用者端末に係る位置情報を基準にする範囲を算出し、上記タクシーに係る位置情報が当該範囲内に該当するか否かを判別する処理と、
上記範囲内外判別の結果、範囲内に該当する位置情報に係るタクシー端末がある場合、当該タクシー端末に対して、上記配車要求情報を送信する処理と、
上記タクシー端末から、上記配車要求情報に対する入札情報を受信する処理と、
上記入札情報を受信した場合、上記タクシー情報記憶手段を参照し、当該入札情報に係るタクシー端末情報を特定し、上記配車要求情報に係る利用者端末情報と関連づけた配車情報を生成する処理と、
を実行させることを特徴とするコンピュータプログラム。
【発明の詳細な説明】
【技術分野】
【０００１】
本発明は、タクシーの利用を希望する者の位置情報と、タクシーの位置情報と、に基づきタクシー乗務員にトータルイベント情報を提供するシステムに関する。
【背景技術】
【０００２】
従来から、タクシーの利用を希望する者（以下「タクシー利用者」という。）にとって利便性の高いタクシー配車システムに関する技術が開示されている。
例えば、下記特許文献１に記載のある、利用希望者の携帯電話と配車管理センターとタクシー乗務員の携帯電話との間で、配車条件と申込み情報（入札）の特定処理を行う、タクシー配車システム及び配車方法の技術が開示されている。
【０００３】
また、下記特許文献２に記載のある、タクシー利用者の位置情報と、タクシーの位置情報に基づき、対象エリア内にいるタクシー端末へ配車要求を送信する技術が開示されている。
【０００４】
さらに、下記特許文献３に記載のある、配車要求を入札により決定するタクシー配車システムの技術が開示されている。
【先行技術文献】
【特許文献】
【０００５】
【特許文献１】特開２００６−４０００７号公報
【特許文献２】特開２００５−３４６６３４号公報
【特許文献３】特開２００３−１１５０９８号公報
【発明の概要】
【発明が解決しようとする課題】
【０００６】
従来技術によれば、タクシー利用者にとって効率よくタクシーが配車されること、が可能となった。
しかしながら、従来技術は、必ずしもタクシー乗務員にとって利便性の高い技術ではなかった。例えば、流しとして走行中のタクシー乗務員に対する配車要求情報がメールによるものであったり、配車要求の確認及び確定方法が煩雑で運転中のタクシー乗務員が操作するには危険が伴うものであった。依然として、タクシーの利用希望者とタクシー乗務員の双方にとって利便性の高い技術ではなかった。
なぜならば、従来技術の解決課題が、タクシー利用者の利便性に主眼を置くものであったからである。
【０００７】
そこで、本発明は、タクシーの利用を希望する者とタクシー乗務員の双方にとって利便性の高いものにするため、タクシーの利用を希望する者からの配車要求を、効率よくタクシー乗務員に知らせ、タクシー乗務員が簡便に配車を可能とするシステムを提供することを目的とする。また、配車要求情報に加え各種のイベント情報を併せてタクシー乗務員に知らせることで、タクシーの乗車効率を総合的な向上させるシステムを提供することを目的とする。
【課題を解決するための手段】
【０００８】
上述した課題を解決するため、本発明は、利用者端末と、地図情報を表示する出力部を備えたタクシー端末と、タクシーの配車情報を管理し情報処理を制御するサーバから構成され、ＧＰＳ衛星から位置情報を取得しタクシー配車の情報制御をするタクシー配車システムであって、上記サーバは、タクシー端末を識別できる識別情報、タクシーの位置情報、を含むタクシー情報を記憶するタクシー情報記憶手段と、上記ＧＰＳ衛星から上記タクシー端末の位置情報を受信する位置情報受信手段と、上記利用者端末から当該利用者端末の位置情報を含む配車要求情報を受信する配車要求受信手段と、上記受信したタクシー端末に係る位置情報と、上記受信した配車要求情報に含まれる利用者端末に係る位置情報に基づき、当該利用者端末に係る位置情報を基準にする範囲を算出し、上記タクシーに係る位置情報が当該範囲内に該当するか否かを判別する範囲内外判別手段と、上記範囲内外判別の結果、範囲内に該当する位置情報に係るタクシー端末がある場合、当該タクシー端末に対して、上記配車要求情報を送信する配車要求案内手段と、上記タクシー端末から、上記配車要求情報に対する入札情報を受信する入札受信手段と、上記入札情報を受信した場合、上記タクシー情報記憶手段を参照し、当該入札情報に係るタクシー端末情報を特定し、上記配車要求情報に係る利用者端末情報と関連づけた配車情報を生成する落札処理手段と、上記タクシー端末は、上記サーバから配車要求情報を受信すると、配車要求情報を出力部上に表示する配車情報表示手段と、を有することを特徴とする。
【０００９】
また本発明は、上記配車情報表示手段が、上記サーバから配車要求情報を受信すると、当該配車要求情報に係る位置情報を出力部上の地図情報に表示する、ことを特徴とする。
【００１０】
また本発明は、上記サーバが、上記配車情報を生成すると、当該入札情報に係るタクシー端末に対して、配車情報を送信する配車依頼手段、をさらに有すること、を特徴とする。
【００１１】
また本発明は、上記サーバが、上記配車情報を生成すると、当該配車要求情報に係る利用者端末に対して、配車情報を送信する配車情報送信手段、をさらに有すること、を特徴とする。
【００１２】
また本発明は、上記サーバが、上記入札情報を受信した場合に、当該配車要求情報の削除指示情報を生成し、当該入札情報に係るタクシー端末以外の上記配車要求情報を送信したタクシー端末に対して送信する削除要求手段、をさらに有すること、を特徴とする。
【００１３】
また本発明は、利用者端末と、地図情報を表示する出力部を備えたタクシー端末と、タクシー端末を識別できる識別情報、タクシーの位置情報、を含むタクシー情報を記憶するタクシー情報記憶手段を有しタクシーの配車情報を管理し情報処理を制御するサーバから構成され、ＧＰＳ衛星から位置情報を取得しタクシー配車の情報制御をするタクシー配車処理方法であって、上記サーバが、上記ＧＰＳ衛星から上記タクシー端末の位置情報を受信する処理と、上記利用者端末から当該利用者端末の位置情報を含む配車要求情報を受信する処理と、上記受信したタクシー端末に係る位置情報と、上記受信した配車要求情報に含まれる利用者端末に係る位置情報に基づき、当該利用者端末に係る位置情報を基準にする範囲を算出し、上記タクシーに係る位置情報が当該範囲内に該当するか否かを判別する処理と、上記範囲内外判別の結果、範囲内に該当する位置情報に係るタクシー端末がある場合、当該タクシー端末に対して、上記配車要求情報を送信する処理と、上記タクシー端末から、上記配車要求情報に対する入札情報を受信する処理と、上記入札情報を受信した場合、上記タクシー情報記憶手段を参照し、当該入札情報に係るタクシー端末情報を特定し、上記配車要求情報に係る利用者端末情報と関連づけた配車情報を生成する処理と、上記タクシー端末が、上記サーバから配車要求情報を受信すると、配車要求情報を出力部上に表示する処理と、を行うことを特徴とする。
【００１４】
また本発明は、利用者端末と、地図情報を表示する出力部を備えたタクシー端末と、タクシー端末を識別できる識別情報、タクシーの位置情報、を含むタクシー情報を記憶するタクシー情報記憶手段を有しタクシーの配車情報を管理し情報処理を制御するサーバから構成され、ＧＰＳ衛星から位置情報を取得しタクシー配車の情報制御をするコンピュータプログラムであって、上記サーバに対して、上記ＧＰＳ衛星から上記タクシー端末の位置情報を受信する処理と、上記利用者端末から当該利用者端末の位置情報を含む配車要求情報を受信する処理と、上記受信したタクシー端末に係る位置情報と、上記受信した配車要求情報に含まれる利用者端末に係る位置情報に基づき、当該利用者端末に係る位置情報を基準にする範囲を算出し、上記タクシーに係る位置情報が当該範囲内に該当するか否かを判別する処理と、上記範囲内外判別の結果、範囲内に該当する位置情報に係るタクシー端末がある場合、当該タクシー端末に対して、上記配車要求情報を送信する処理と、上記タクシー端末から、上記配車要求情報に対する入札情報を受信する処理と、上記入札情報を受信した場合、上記タクシー情報記憶手段を参照し、当該入札情報に係るタクシー端末情報を特定し、上記配車要求情報に係る利用者端末情報と関連づけた配車情報を生成する処理と、を実行させることを特徴とする。
【発明の効果】
【００１５】
本発明によれば、タクシー乗務員がトータルイベント情報を即時確認できるため、タクシー利用者とっては条件通りに乗車ができる、タクシー乗務員にとっては乗客獲得の機会が増える、など双方にとって利便性が高くなる。
【図面の簡単な説明】
【００１６】
【図１】本発明の一の実施形態に係るタクシー配車システムの全体概要図
【図２】タクシー配車システムの機能ブロック図
【図３】タクシー配車システムの全体処理シーケンス図
【図４】管理サーバによる処理フロー図
【図５】イベント情報を用いた処理フロー図
【発明を実施するための形態】
【００１７】
以下、図面を参照しながら、本発明の一の実施形態に係るトータルイベント情報の提供による乗車効率を向上するタクシー配車システムについて説明する。
図１に例示の実施形態では、管理サーバが、ＧＰＳ衛星からタクシー端末の位置情報を随時受信している。利用者端末が、ＧＰＳ衛星から利用者端末の現在の位置情報を取得する。利用者端末が、現在の位置情報を含む配車要求情報を管理サーバへ送信する。管理サーバは、配車要求情報に含まれる利用者端末の位置情報を基準にし、所定の範囲内に位置するタクシー端末に対してオークション形式により配車要求情報を送信する。タクシー端末が、受信した配車要求情報に対する入札情報を生成し、管理サーバへ入札情報を送信する。管理サーバが、受信した入札情報に基づき配車情報を生成し、利用者端末へ配車情報を送信する。
ＧＰＳ衛星とは、地球上における位置情報を測定できるＧＰＳ（Ｇｌｏｂａｌ  Ｐｏｓｉｔｉｏｎｉｎｇ  Ｓｙｓｔｅｍ）機能を有する端末装置に対して、ＧＰＳ衛星から位置情報の信号を送信できる人工衛星をいう。
【００１８】
トータルイベント情報とは、タクシー乗務員に対して乗客獲得の機会を増やするための情報である。トータルイベント情報は、配車要求情報やイベント情報などを含む情報である。
配車要求情報とは、タクシー利用者がタクシーの配車を要求する情報である。配車要求情報は、利用者端末識別情報、利用者端末識別情報、現在の位置情報、日時や人数や乗車希望場所などの配車条件、などを含む情報である。
イベント情報とは、展示会や学会やコンサートなど、人が集まる場の開催に関する情報である。イベント情報は、開催日、開始時刻、終了時刻、会場情報、地域情報を含む情報である。また、イベント情報は、会場周辺の駅、道路情報、駅から会場までの距離情報、イベントの種類、イベント規模、客層などの情報を含んだイベント情報であってもよい。
配車情報とは、タクシー利用者が送信した配車要求情報に応じて、タクシーの配車が確定した情報である。配車情報は、配車日時刻、乗車予定場所、乗車人数、配車が確定したタクシー情報などを含む情報である。
【００１９】
次に、図２を参照して、本実施形態におけるタクシー配車システムを構成する装置及び装置の機能ブロックについて説明する。図２は、本実施形態におけるタクシー配車システムを構成する装置及び装置が有する機能ブロックを表した図である。
本実施形態は、タクシー利用者が保持する利用者端末１と、タクシーに設置されたタクシー端末２と、ネットワークを介して利用者端末１及びタクシー端末２と通信可能に接続され、トータルイベント情報やタクシーの配車情報を処理する管理サーバ３を有する構成である。
【００２０】
利用者端末１は、タクシー利用者が保持する携帯端末である。利用者端末１は、例えば、携帯電話、携帯情報端末、ＰＤＡ（Ｐｅｒｓｏｎａｌ  Ｄｉｇｉｔａｌ  Ａｓｓｉｓｔａｎｔ）、スマートフォンなどの携帯端末である。
図示されていないが、利用者端末１は、演算処理装置であるＣＰＵを有し、ＲＡＭ、ＲＯＭ等のメモリや、ハードディスクドライブなどの外部メモリを制御し、ＣＰＵが実行するコンピュータプログラムにより情報処理、及び通信制御して無線による情報通信が可能な構成を有するものである。さらに、利用者端末１は、ＧＰＳ（Ｇｌｏｂａｌ  Ｐｏｓｉｔｉｏｎｉｎｇ  Ｓｙｓｔｅｍ）機能を有しており、ＧＰＳ衛星からの信号を受信でき、利用者端末１に係る現在の位置情報を受信することができる。
携帯端末１は、通信制御部１１、位置情報取得部１２、入出力部１３を有する構成である。
【００２１】
通信制御部１１は、ネットワークを介した管理サーバ３との情報通信を制御する。通信制御部１１は、管理サーバ３との間で行われる、配車要求情報の送信、配車情報の受信を制御する。
【００２２】
位置情報取得部１２は、ＧＰＳ衛星から現在の位置情報を受信する機能を有するものである。位置情報取得部１２は、いわゆる、ＧＰＳ機能を有するものである。
【００２３】
入出力部１３は、利用者による情報入力、選択などの操作を受け付ける入力部と、表示画面のような情報を表示するものや、音声情報での報知するものなどの出力部である。入出力部１３は、管理サーバ３から受信した配車情報を表示する。入出力部１３は、タッチパネル機能を有するものであってもよい。
【００２４】
タクシー端末２は、タクシーに設置された情報処理装置である。タクシー端末２は、いわゆる、カーナビゲーション機能を有する装置である。また、タクシー端末２は、ＧＰＳ衛星から現在の位置情報を受信できるＧＰＳ機能と、管理サーバ３と情報通信を可能にする通信機能と、を有する装置である。
例えば、タクシー端末２は、カーナビゲーション装置、携帯電話端末、携帯情報処理端末、ＰＤＡ、スマートフォンなどの情報処理装置である。
また、タクシー端末２は、図示されていないが、演算処理装置であるＣＰＵを有し、ＲＡＭ、ＲＯＭ等のメモリや、ハードディスクドライブなどの外部メモリを制御し、ＣＰＵが実行するコンピュータプログラムにより情報処理を行うものである。
タクシー端末２は、通信制御部２１、位置情報取得部２２、入出力部２３を有する構成である。
【００２５】
通信制御部２１は、大容量データの高速通信が可能なネットワークに接続可能な構成を有し、ネットワークを介した管理サーバ３との情報通信を制御する。
通信制御部２１は、ネットワークを介して管理サーバ３との間で行われる、トータルイベント情報の受信、入札情報の送信を制御する。また、通信制御部２１が通信する情報には、文字データ、地図データなどの動画若しくは画像データ、又は音声データなどの情報がある。なお、通信制御部２１は、タクシー端末２自体のＥメールアドレスを用いた、Ｅメールの送受信を制御するものであってもよい。
入札情報とは、配車要求情報に対して、タクシー乗務員が乗客の獲得を意思表示した情報である。入札情報は、タクシー端末識別情報、入札対象となった配車要求情報を特定することができる情報、少なくとも含む情報である。
【００２６】
位置情報取得部２２は、ＧＰＳ衛星からタクシー端末２の現在位置情報を受信する。例えば、ＧＰＳ機能である。
【００２７】
入出力部２３は、タクシーの現在の位置情報を表示している画面などの出力部と、現在の位置情報や目的地情報を表示している画面上をタッチパネル式で入力操作を受け付ける入力部などである。
入出力部２３は、受信した配車要求情報やイベント情報を表示する。また、入出力部２３は、表示した配車要求情報に対してタクシー乗務員がする入札操作を受け付ける。例えば、入出力部２３が受け付ける入札操作として、表示部上に表示された配車要求情報が選択された操作を受け付ける。入出力部２３が入札操作を受け付けた配車要求情報に対して、入札情報が生成される。
【００２８】
管理サーバ３は、大容量データの高速通信を可能にするネットワークに接続可能に構成され、ネットワークを介して利用者端末１及びタクシー端末２と情報通信を行い、配車の情報処理を行う構成を有している。
また、管理サーバ３は、ＧＰＳ衛星からタクシー端末２に係る位置情報を随時受信する構成を有する。
また、図示されていないが、管理サーバ３は、演算処理装置であるＣＰＵを有し、ＲＡＭ、ＲＯＭ等のメモリや、ハードディスクドライブなどの外部メモリを制御し、ＣＰＵが実行するコンピュータプログラムにより情報処理を行うものである。
管理サーバ３は、利用者情報記憶部３１、タクシー情報記憶部３２、通信制御部３３、位置情報判別部３４、落札処理部３５、配車情報生成部３６を有する構成である。
【００２９】
利用者情報記憶部３１は、タクシー利用者に係る情報である利用者情報を記憶する。
利用者情報とは、利用者端末を識別できる情報である利用者端末識別情報、タクシー利用者を識別できる情報である利用者識別情報、利用者の氏名、携帯電話番号、電子メールアドレス、現在の位置情報、配車情報に係るタクシー識別情報などを含む情報である。
【００３０】
タクシー情報記憶部３２は、タクシーに係る情報であるタクシー情報を記憶する。
タクシー情報とは、タクシー端末を識別できる情報であるタクシー端末識別情報、タクシーを識別できる情報であるタクシー識別情報、タクシーの現在の位置情報、タクシー乗務員の携帯電話番号、電子メールアドレス、配車情報に係る利用者識別情報などを含む情報である。
【００３１】
通信制御部３３は、大容量データの高速通信が可能なネットワークに接続可能な構成を有し、ネットワークを介して利用者端末１及びタクシー端末２との、情報通信を制御する。通信制御部３３は、文字データ、地図データなどの動画若しくは画像データ、又は音声データなどの情報の送受信を制御する。
【００３２】
タクシー特定部３４は、配車要求情報に適当なタクシーを特定し、タクシー端末２へ配車要求情報を送信する。
タクシー特定部３４は、利用者端末１から配車要求情報を受信すると、配車要求情報に含まれる利用者端末１の現在の位置情報に基づき、利用者端末１の位置情報を基準とした所定の範囲を算出する。タクシー特定部３４は、タクシー情報記憶部３２を参照し、位置情報が当該範囲内に該当するタクシー情報を特定し、抽出する。タクシー特定部３４は、抽出したタクシー情報に係るタクシー端末２へ配車要求情報を送信する。
また、タクシー特定部３４は、落札処理部３５からタクシー特定処理の指示を受け付ける。この場合、タクシー特定部３４は、算出後の範囲を拡大する範囲を再度算出する。タクシー特定部３４は、タクシー情報記憶部３２を参照し、位置情報が当該再度算出した拡大範囲内に該当するタクシー情報を特定し、抽出する。タクシー特定部３４は、抽出したタクシーに係るタクシー端末２へ配車要求情報を送信する。
【００３３】
落札処理部３５は、ある配車要求情報に対する入札情報を、所定の時間内に受信したか否かを判別する。落札処理部３５は、所定の時間内に一件も入札情報を受信しない場合、タクシー特定部３４に対して、再度タクシー特定処理の実行を指示する。
落札処理部３５は、タクシー端末２から入札情報を受信した場合、配車するタクシーを決定する。
また、落札処理部３５は、ある配車要求情報に対する最初の入札情報の受信により落札処理を行う。さらに、落札された配車要求情報の削除指示情報を、当該配車要求情報を送信した他タクシー端末２へ送信する。
【００３４】
配車情報生成部３６は、配車要求情報に係る利用者情報と、落札したタクシー端末２に係るタクシー情報から、配車情報を生成する。配車情報生成部３６は、利用者端末１とタクシー端末２へ当該配車情報を送信する。
【００３５】
次に、図３を参照して、本実施形態に係るタクシー配車システムにおける全体処理シーケンスについて説明する。
図３は、利用者端末１とタクシー端末２と管理サーバ３との間で行われる処理シーケンスを表した図である。
【００３６】
タクシー端末２の位置情報取得部２２は、ＧＰＳ衛星から現在の位置情報を受信する（Ｓ１）。タクシー端末２は、受信した現在の位置情報を入出力部２３に出力する。
管理サーバ３は、ＧＰＳ衛星からタクシー端末２に係る位置情報を受信する（Ｓ２）。管理サーバ３は、上記受信したタクシー端末２に係る位置情報に含まれるタクシー端末識別情報を抽出し、タクシー情報記憶部３２を参照し、当該受信した位置情報とタクシー情報の関連付けを行う。
【００３７】
利用者端末１は、タクシー利用者の操作を入出力部１３から受け付け、位置情報取得部１２がＧＰＳ衛星から現在の位置情報を受信する（Ｓ３）。利用者端末１は、受信した現在の位置情報と利用者端末識別情報を含む配車要求情報を生成し、配車要求情報を管理サーバ３へ送信する（Ｓ４）。
【００３８】
管理サーバ３は、利用者端末１から送信された配車要求情報を受信する（Ｓ５）。管理サーバ３は、受信した配車要求情報に含まれる利用者端末１に係る位置情報を基準にして、所定の範囲を算出する。管理サーバ３は、タクシー情報記憶部３２を参照し、算出した範囲内に該当する位置情報のタクシー情報の有無を判別する（Ｓ６）。管理サーバ３は、算出した範囲内に該当する位置情報のタクシー情報を特定し、抽出する。管理サーバ３は、抽出したタクシー情報に係るタクシー端末２へ配車要求情報を送信する。（Ｓ７）
【００３９】
タクシー端末２は、管理サーバ３から送信された配車要求情報を受信する（Ｓ８）。タクシー端末２は、受信した配車要求情報を入出力部２３に出力する。タクシー端末２の入出力部２３が、画面表示を可能にし、タッチパネルで入力を受け付ける場合、表示画面に選択可能な表示形態で配車要求情報を表示する。タクシー端末２の入出力部２３は、タクシー乗務員が配車要求情報を選択した応答（入札）情報の入力操作を受け付ける。タクシー端末２は入札操作を受け付けた場合、選択された配車要求情報に対する入札情報を生成し、入札情報を管理サーバ３へ送信する（Ｓ９）。
【００４０】
管理サーバ３は、タクシー端末２から入札情報を受信すると、配車要求情報に対して配車するタクシーを決定する落札処理を行う（Ｓ１０）。管理サーバ３は、落札したタクシーに係るタクシー情報と、配車要求に係る利用者の利用者情報を含む配車情報を生成する（Ｓ１１）。管理サーバ３は、生成した配車情報を、利用者端末１とタクシー端末２へ送信する（Ｓ１２）。
【００４１】
タクシー端末２は、管理サーバ３から送信された配車情報を受信すると、入出力部２３に配車情報を表示する（Ｓ１３）。
利用者端末１は、管理サーバ３から送信された配車情報を受信すると、入出力部１３に、配車情報を表示する（Ｓ１４）。
【００４２】
次に、図４を参照して、管理サーバ３が配車処理を行う処理フローについて説明する。図４は、管理サーバ３による配車処理を表した処理フロー図である。
タクシー端末２の位置情報取得部２１は、ＧＰＳ衛星から現在のタクシーの位置情報を随時受信している。
【００４３】
管理サーバ３は、ＧＰＳ衛星からタクシーの現在の位置情報を随時受信している（Ｓ１０１）。また、管理サーバ３がＧＰＳ衛星から受信するタクシーの位置情報には、タクシー端末識別情報が含まれている。管理サーバ３は、受信した位置情報及びタクシー識別情報に基づき、タクシー情報記憶部３２を参照し、当該受信情報に係るタクシー情報を特定し、タクシー情報記憶部３２のタクシーの位置情報を更新している。
利用者端末１は、タクシー利用者の操作を受け付け、位置情報取得部１２がＧＰＳ衛星から現在の利用者の位置情報を受信する。利用者端末１は、ＧＰＳ衛星から受信した位置情報と利用者端末識別情報を含む配車要求情報を生成し、配車要求情報を管理サーバ３へ送信する。
管理サーバ３は、利用者端末１から送信された配車要求情報を受信する（Ｓ１０２）。
【００４４】
上記配車要求情報を受信すると、配車要求情報に含まれる利用者端末１に係る位置情報を中心とする所定範囲を算出する（Ｓ１０３）。
上記範囲を算出すると、タクシー情報記憶部３２を参照し、算出した範囲内に該当する位置情報のタクシー情報の有無を判別する（Ｓ１０４）。
または、予め設定された所定範囲に基づいて、配車要求情報に含まれる位置情報を中心とする当該予め設定された範囲内に該当するタクシー情報の有無判別をしてもよい。
例えば、配車要求情報に含まれる位置情報を中心とする半径５００ｍ以内を所定範囲として、タクシー情報記憶部３２を参照して、当該所定範囲内に位置するタクシー情報の有無を判別する。
【００４５】
上記有無判別の結果、範囲内に位置するタクシー情報がない場合（Ｓ１０４：Ｎｏ）、上記算出後の範囲を拡大する範囲を再度算出する（Ｓ１０５）。拡大範囲に基づき再度、範囲内に該当する位置情報のタクシー情報の有無を判別する（Ｓ１０４）。
例えば、上記有無判別は、範囲内に位置情報が該当するタクシー情報が一台も存在しない場合、若しくは、所定の台数以上存在しない場合、をもって判別することができる。また、再度範囲を算出する場合、上記算出した範囲の半径５００ｍを半径１ｋｍ以内に拡大し、拡大した範囲をすることができる。
【００４６】
一方、上記有無判別の結果、範囲内に位置するタクシー情報がある場合（Ｓ１０４：Ｙｅｓ）、上記算出した範囲内に該当する位置情報のタクシー情報を特定し、抽出する。（Ｓ１０６）。上記抽出したタクシー情報に係るタクシー端末２へ配車要求情報を送信する（Ｓ１０７）。
【００４７】
タクシー端末２は、管理サーバ３から送信された配車要求情報を受信する。タクシー端末２は、上記受信した配車要求情報を入出力部２３に出力する。当該配車要求情報に対する応答（入札）情報の入力受け付けの有無は、タクシー乗務員の選択により、入出力部２３が受付けることができる。
タクシー端末２は、上記配車要求情報に対する入札情報の選択入力の受け付けた場合、管理サーバ３に対して、入札情報を送信する。
例えば、タクシー端末２の入出力部２３として、カーナビゲーション装置の地図情報表示部、携帯電話の画面表示部、携帯情報端末の画面表示部がある。上記受信した配車要求情報を、タクシー端末２の表示部に表示する。配車要求情報に含まれる位置情報に基づき、地図情報中に当該位置情報を認識できるように表示してもよし、文字情報として表示してもよい。
【００４８】
管理サーバ３は、上記タクシー端末２へ送信した配車要求情報に対する入札情報を、所定の時間内に受信したか否かを判別する（Ｓ１０８）。
上記入札情報受信判別の結果、所定時間内に入札情報を受信しないと判別した場合（Ｓ１０８：Ｎｏ）、上記算出後の範囲を拡大する範囲を再度算出する（Ｓ１０５）。
【００４９】
他方、上記入札情報受信判別の結果、所定時間内に入札情報を受信した場合（Ｓ１０８：Ｙｅｓ）、当該入札情報に係るタクシー端末２が落札したものとして、上記配車要求情報に対する配車するタクシーを決定する（Ｓ１０９）。
例えば、ある配車要求情報に対する最初の入札情報を受信した場合、当該最初の入札情報に係るタクシー情報を配車するタクシーに決定する。また、落札された配車要求情報は、配車するタクシーが確定したので、当該配車要求情報を送信した上記タクシー端末２に対して、当該配車要求情報の削除指示情報を送信する。これにより、落札された配車要求情報は、落札したタクシー端末２以外の他タクシー端末２から削除され、重複する入札情報を受け付けないようにする。
【００５０】
上記落札処理がされると、当該配車要求情報に係る利用者情報と、上記入札情報に係るタクシー情報との関連付けを行い、配車情報を生成する（Ｓ１１０）。
配車情報とは、乗車希望時間、乗車場所、乗車人数、乗車場所へのタクシー到着予定時間、タクシーナンバー情報、などを含む情報である。また、到着予定時間、概算予想料金、予定予算、などを上記配車情報は含んでいてもよい。
例えば、配車要求情報に含まれる利用者端末識別情報に基づき、上記利用者情報記憶部３１を参照し、当該配車要求情報に係る利用者情報を特定する。さらに、上記入札情報に含まれるタクシー端末識別情報に基づき、上記タクシー情報記憶部３２を参照して、当該入札情報に係るタクシー情報を特定する。上記特定した情報に基づき配車情報を生成し、生成した配車情報は、上記利用者情報記憶部３１、上記タクシー情報記憶部３２に更新記憶してもよい。
【００５１】
管理サーバ３は、上記生成した配車情報を、配車要求情報を送信した上記利用者端末１に対して送信する（Ｓ１１１）。また、管理サーバ３は、上記生成した配車情報を、入札情報を送信した上記タクシー端末２に対して送信する（Ｓ１１２）。
【００５２】
利用者端末１は、上記配車情報を受信すると、入出力部１３に当該配車情報を出力する。また、タクシー端末２は、上記配車情報を受信すると、入出力部２３に当該配車情報を出力する。
【００５３】
次に、イベント情報を用いた処理について説明をする。図５は、イベント情報に基づくタクシー端末２への情報提供の処理を表した図である。
この場合、管理サーバ３は、イベント情報を記憶するイベント情報記憶部３７を含む構成となる。タクシー端末２は、管理サーバ３からイベント情報を受信する。タクシー端末２は、受信したイベント情報に基づく情報を出力部に表示するものである。
【００５４】
管理サーバ３は、イベント情報記憶部３７を参照し、検索条件に適合するイベント情報の有無を検索する（Ｓ２０１）。
検索条件とは、開催日、開始時刻、終了時刻を条件とするものである。
これにより、これから開始時刻を迎えるイベント情報や、現在開催中であってこれから終了時刻を迎えるイベント情報を検索することができる。
例えば、本日開催のイベント情報を検索対象とする処理であってもよい。また、翌日開催のイベント情報を検索対象とする処理であってもよい。さらには、イベント期間が複数日なる場合には、イベント期間を単位として、イベント情報を検索対象とする処理であってもよい。
【００５５】
管理サーバ３は、検索条件に適合するイベント情報を特定する（Ｓ２０２）。管理サーバ３は、特定したイベント情報に含まれる地域情報を抽出する。管理サーバ３は、抽出した地域情報を基準として、当該地域情報の範囲に該当する位置情報のタクシーを特定する（Ｓ２０３）。
例えば、タクシーの位置情報における特定処理では、現在のタクシーの位置情報を基準とする特定処理であってもよい。また、当該特定処理では、現在乗客を輸送中のタクシーであって地位情報の範囲外に現在位置するタクシーであっても、到着予定時刻と目的地情報を基準として、特定する処理であってもよい。
管理サーバ３は、特定したタクシーに係るタクシー端末２に対して、イベント情報を送信する（Ｓ２０４）。
【００５６】
タクシー端末２は、管理サーバ３が送信したイベント情報を受信する（Ｓ２０５）。タクシー端末２は、受信したイベント情報を入出力部２３に表示する（Ｓ２０６）。
【００５７】
また、タクシー端末２は、予め管理サーバ３のイベント情報を検索し、イベント情報を特定しておくこともできる。例えば、大規模なイベントの開催が有る場合に、予め登録することができる。これにより、タクシー車両の現在の位置情報と、地域情報とにかかわらず、当該登録済みイベント情報が、タクシー端末２の出力部にイベント情報が表示されることが可能になる。
【００５８】
以上、説明してきた通り、本実施形態によれば、利用者にとって簡易なタクシーの配車を可能とすることができる。また、タクシー乗務員によれば、自身の顧客獲得に対する選択肢を得ることができる。さらに、運転中の安全を阻害することなく配車要求情報を確認することができる。
【００５９】
また、本実施形態によれば、入札情報の送信順（入札順）に、落札されより多くの顧客を獲得したタクシー乗務員にとって好適なシステムとなる。さらに、タクシー内に設置されたカーナビゲーション装置であるタクシー端末の画面に、配車要求情報が表示されることで、タクシー乗務員の安全な運転の妨げとなることなく、当該配車要求情報を確認することができる。
【００６０】
また、本発明は、配車要求情報に対する入札情報の送信を行い、配車するタクシーに確定したタクシー乗務員に課金するタクシー配車システムであってもよい。例えば、一定時間毎に課金をするものであってもよい。
【００６１】
また、本発明では、配車要求情報を送信した利用希望者に対して、例えば、配車確定後に近くを流しで走行中の別タクシーへ乗車する場合が考えられる。この場合、当該利用希望者にキャンセル料を発生させ課金してもよいし、キャンセル料は発生せず一切課金しないものであってもどちらでもよい。
【００６２】
本発明では、タクシー端末がイベント情報を表示することができるため、タクシー乗務員にとって、タクシー乗客の確保に向けた行動予定を立てるのに役立つ。
また、本発明では、タクシー会社が、イベントの種類に応じてターゲット顧客層を予測することができる。例えば、タクシー利用頻度の高い顧客層が参加するイベントの開催があるのか等を把握することができる。タクシー利用の機会が多い地域にタクシーを集約させることもできる。
【符号の説明】
【００６３】
１  利用者端末
２  タクシー端末
３  管理サーバ
【図１】
2012083933.tif 000003
【図２】
2012083933.tif 000004
【図３】
2012083933.tif 000005
【図４】
2012083933.tif 000006
【図５】
2012083933.tif 000007